(57)【特許請求の範囲】
【請求項１】
ハウジングと、該ハウジングに対して開閉自在に取付けられたフードと、前記ハウジング内に取付けられ空気の吸引と加温空気の送風を行うブロワと、前記ブロワからの加温空気を前記フード内に戻すための前記ハウジングに形成された吹出口と、該吹出口よりの送風によってフード内にオゾンを吹き出し被施術者の毛髪に噴触するオゾン噴触装置と、前記オゾン噴触装置から上方に向けて備えられたオゾン配管と、前記吹出口の近傍に配置され、前記オゾン配管の端に備えられて前記オゾン配管よりも広角の噴出口であり、前記オゾン噴触装置よりのオゾンを放出するオゾン噴触部と、被施術者の毛髪が巻き付けられ通気穴が形成された複数のロッドと、該ロッドに接続され前記ブロワによる吸引力によって前記オゾンを吸引し前記ロッド内を負圧状態とするチューブとから構成したことを特徴とするパーマネントウェーブ処理促進装置。
【請求項２】
前記フードに被施術者が頭部を挿入した状態においてフードの開口部を密閉状態とし、この密閉状態において前記オゾン噴触装置よりのオゾンを吹き出してオゾンが外部に噴出しないようにしたことを特徴とする請求項１記載のパーマネントウェーブ処理促進装置。
【請求項３】
ハウジングと、該ハウジングに対して開閉自在に取付けられたフードと、前記フードを開閉させるための一対のフード取付部材と、前記ハウジング内に取付けられ空気の吸引と加温空気の送風を行うブロワと、前記ブロワからの加温空気を前記フード内に戻すための前記ハウジングに形成された吹出口と、被施術者の毛髪が巻き付けられ通気穴が形成された複数のロッドと、該ロッドに接続され前記ブロワによる吸引力によって前記ロッド内を負圧状態とするチューブと、パーマネント、カラー、トリートメントの薬剤を霧化する薬剤霧化装置と、前記薬剤霧化装置から前記フードの内面に沿って延びると共に、一方の前記フード取付部材の内側に端が固定された薬剤供給パイプと、一対の前記フード取付部材の内側に両端が取り付けられると共に一端が前記薬剤供給パイプに連接され、前記薬剤霧化装置よりのミスト状の薬剤を前記フードの内周面に沿って前後に往復回動しながら被施術者の毛髪に吹き付ける薬剤噴霧パイプとより構成したことを特徴とするパーマネントウェーブ処理促進装置。
【請求項４】
前記薬剤霧化装置よりのミスト状の薬剤を前記薬剤噴霧パイプを介して噴霧する時に、前記ロッド内を負圧状態としてミスト状の薬剤が被施術者の毛髪に対して均一に塗布されるようにしたことを特徴とする請求項３記載のパーマネントウェーブ処理促進装置。
【請求項５】
ハウジングと、該ハウジングに対して開閉自在に取付けられたフードと、前記フードを開閉させるための一対のフード取付部材と、前記ハウジング内に取付けられ空気の吸引と加温空気の送風を行うブロワと、前記ブロワからの加温空気を前記フード内に戻すための前記ハウジングに形成された吹出口と、前記フードに被施術者が頭部を挿入した状態においてフードの開口部を密閉状態とする密閉手段と、被施術者の毛髪が巻き付けられ通気穴が形成された複数のロッドと、該ロッドに接続され前記ブロワによる吸引力によって前記ロッド内を負圧状態とするチューブと、パーマネント、カラー、トリートメントの薬剤を霧化する薬剤霧化装置と、前記薬剤霧化装置から前記フードの内面に沿って延びると共に、一方の前記フード取付部材の内側に端が固定された薬剤供給パイプと、一対の前記フード取付部材の内側に両端が取り付けられると共に一端が前記薬剤供給パイプに連接され、前記薬剤霧化装置よりのミスト状の薬剤を前記フードの内周面に沿って前後に往復回動しながら被施術者の毛髪に吹き付ける薬剤噴霧パイプと、前記吹出口よりの送風によってフード内にオゾンを吹き出し被施術者の毛髪に噴触するオゾン噴触装置と、前記オゾン噴触装置から上方に向けて備えられたオゾン配管と、前記吹出口の近傍に配置され、前記オゾン配管の端に備えられて前記オゾン配管よりも広角の噴出口であり、前記オゾン噴触装置よりのオゾンを放出するオゾン噴触部とより構成したことを特徴とするパーマネントウェーブ処理促進装置。
【請求項６】
前記オゾン噴触装置よりのオゾンが前記吹出口より吹き出される時に、前記ロッド内を負圧状態としてオゾンを被施術者の毛髪に対して均一に噴触するようにしたことを特徴とする請求項５記載のパーマネントウェーブ処理促進装置。
【発明の詳細な説明】
【技術分野】
【０００１】
本発明は、パーマ、カラー、トリートメント等の毛髪処理において、毛髪をカールした状態においてオゾンを吹き付け、また（あるいは）パーマ剤やトリートメント剤である薬剤を塗布して仕上がりを、より効率的、かつ、ムラを防止できるパーマネントウェーブ処理促進装置に関する。
【背景技術】
【０００２】
従来におけるオゾンによる酸化作用を利用する手段としては、例えば、特開昭５４−１０６３５４号公報に記載されている装置がある。この特許文献には、内側フードを囲繞する外側フードにケーシングを一体的に設け、該ケーシングの支持用ブラケット上部にオゾン発生器を取付けると共にオゾン発生器を密閉用カバーで密閉し、外側フード内と密閉用カバー内とを連通するオゾン導入路を支持用ブラケット内に設けたものである。
【０００３】
また、被施術者の毛髪にパーマ剤やトリートメント剤を塗布する従来の方法としては、施術者がロッドに毛髪を巻き付けて前記薬剤を塗布して一定時間放置して毛髪のウェーブ形成やセット（整髪）を行うものであった。
【先行技術文献】
【特許文献】
【０００４】
【特許文献１】特開昭５４−１０６３５４号公報
【発明の概要】
【発明が解決しようとする課題】
【０００５】
ところで、前記特許文献によるオゾンを被施術者の毛髪に吹き付ける手段としては、熱風を吹き出すケーシングと通気孔が形成された隔板とによって形成された空間の一端部に対してオゾン発生器よりのオゾンをオゾン導入路より外側フードに向かって吹き出し、該外側フードに形成された通気孔から被施術者の毛髪にオゾンが吹き付けられるものである。
【０００６】
このように、オゾン発生器よりのオゾンはオゾン導入路を介して前記空間の一端部に吹き出されるので、前記温風によって外側フードに吹き出されるオゾンの量はオゾン導入路側が多く、該オゾン導入路から離れた空間側のオゾンの量は少なくなる。従って、毛髪全体に対して吹き付けられるオゾンの量が異なることから、薬剤のオゾンによる酸化作用が均一とならず仕上げがムラになるといった問題があった。
【０００７】
また、オゾンによる酸化作用を利用する方法では、適切なオゾン濃度に対して高くても低くても大きなリスク問題が生じる。すなわち、オゾン濃度が高すぎると被施術者がオゾン臭を不快に感じ、逆にオゾン濃度が低すぎると十分な酸化作用が得られず、仕上がりを大きく損なう可能性がある。特に、特許文献にあってはフードの開口部がオープン状態となっているため、前記したオゾン濃度が高い場合にはより被施術者に対して不快な影響を与えるといった問題があった。
【０００８】
このようなオゾン濃度を調整する必要が生じた場合に、特許文献にあってはオゾンの濃度は一定でありシャッターの開度を調整して行うことになるが、シャッターの開度調整によるオゾン濃度の調整は非常に面倒な操作になるといった問題があった。
【０００９】
また、薬剤を毛髪に塗布するには前記したように毛髪をロッドに巻き付けながら行うことから、薬剤を毛髪に塗布する作業に時間が掛かると共に塗布作業に熟練を要するといった問題があった。
【００１０】
本発明は前記した問題点を解決せんとするもので、その目的とするところは、フードの開口部を被施術者の頭部を挿入した状態で密閉状態とし、かつ、オゾン発生器より発生するオゾンを温風吹出口の近傍の比較的広い面積より吹き出すようにしたので、オゾンはフード内のみに均一量で充満し、また、毛髪を巻いたロッド内を負圧状態としたことで被施術者の毛髪に均一に噴触させることができると共に薬剤のオゾンによる酸化作用が促進され処理時間を短縮できると共に毛髪への酸化作用も均一、かつ、仕上げがムラになることがなく、さらに、オゾンの発生量をオゾン発生器の動作制御によって行うことで適正なオゾン濃度調整が行えるので、オゾン濃度が高い状態や低い状態への調整が容易であることから被施術者や施術者の安全性、快適性を確保することが可能である。
【００１１】
さらに、湾曲した薬剤噴霧管をフード内の内周面に沿って回転しながらロッドに巻かれた毛髪に対して薬剤を噴霧して薬剤を毛髪に塗布すると共に毛髪が巻かれたロッド内を負圧状態とすることで、毛髪に対して均一に薬剤を塗布することができ、かつ、従来の薬剤塗布と比較して作業の簡素化が図れると共に施術者の熟練を必要としないものである。
【課題を解決するための手段】
【００１２】
本発明のパーマネントウェーブ処理促進装置は前記した目的を達成せんとするもので、請求項１の手段は、ハウジングと、該ハウジングに対して開閉自在に取付けられたフードと、前記ハウジング内に取付けられ空気の吸引と加温空気の送風を行うブロワと、前記ブロワからの加温空気を前記フード内に戻すための前記ハウジングに形成された吹出口と、該吹出口よりの送風によってフード内にオゾンを吹き出し被施術者の毛髪に噴触するオゾン噴触装置と、被施術者の毛髪が巻き付けられ通気穴が形成された複数のロッドと、該ロッドに接続され前記ブロワによる吸引力によって前記オゾンを吸引し前記ロッド内を負圧状態とするチューブとから構成したことを特徴とする。
【００１３】
請求項２の手段は、前記した請求項１において、前記オゾン噴触装置よりのオゾンを前記吹出口の近傍に配置された広角の噴出口であるオゾン噴触部より放出したことを特徴とする。
【００１４】
請求項３の手段は、前記した請求項１において、前記フードに被施術者が頭部を挿入した状態においてフードの開口部を密閉状態とし、この密閉状態において前記オゾン噴触装置よりのオゾンを吹き出してオゾンが外部に噴出しないようにしたことを特徴とする。
【００１５】
請求項４の手段は、ハウジングと、該ハウジングに対して開閉自在に取付けられたフードと、前記ハウジング内に取付けられ空気の吸引と加温空気の送風を行うブロワと、前記ブロワからの加温空気を前記フード内に戻すための前記ハウジングに形成された吹出口と、被施術者の毛髪が巻き付けられ通気穴が形成された複数のロッドと、該ロッドに接続され前記ブロワによる吸引力によって前記ロッド内を負圧状態とするチューブと、パーマネント、カラー、トリートメントの薬剤を霧化する薬剤霧化装置と、前記薬剤霧化装置よりのミスト状の薬剤を前記フードに取付けられフードの内周面に沿って往復回動しながら被施術者の毛髪に吹き付ける薬剤噴霧パイプとより構成したことを特徴とする。
【００１６】
請求項５の手段は、前記した請求項４において、前記薬剤霧化装置よりのミスト状の薬剤を前記薬剤噴霧パイプを介して噴霧する時に、前記ロッド内を負圧状態としてミスト状の薬剤が被施術者の毛髪に対して均一に塗布されるようにしたことを特徴とする。
【００１７】
請求項６の手段は、ハウジングと、該ハウジングに対して開閉自在に取付けられたフードと、前記ハウジング内に取付けられ空気の吸引と加温空気の送風を行うブロワと、前記ブロワからの加温空気を前記フード内に戻すための前記ハウジングに形成された吹出口と、前記フードに被施術者が頭部を挿入した状態においてフードの開口部を密閉状態とする密閉手段と、被施術者の毛髪が巻き付けられ通気穴が形成された複数のロッドと、該ロッドに接続され前記ブロワによる吸引力によって前記ロッド内を負圧状態とするチューブと、パーマネント、カラー、トリートメンの薬剤を霧化する薬剤霧化装置と、該薬剤霧化装置よりのミスト状の薬剤を前記フードに取付けられフードの内周面に沿って往復回動しながら被施術者の毛髪に吹き付ける薬剤噴霧パイプと、前記吹出口よりの送風によってフード内にオゾンを吹き出し被施術者の毛髪に噴触するオゾン噴触装置とより構成したことを特徴とする。
【００１８】
請求項７の手段は、前記した請求項６において、前記オゾン噴触装置よりのオゾンが前記吹出口より吹き出される時に、前記ロッド内を負圧状態としてオゾンを被施術者の毛髪に対して均一に噴触するようにしたことを特徴とする。
【発明の効果】
【００１９】
本発明は前記したように、フード内に加温空気を送風する吹出口の近傍にオゾン噴触装置よりのオゾンを吹き出し、かつ、この状態においてロッド内を負圧とすることで、該ロッドに巻かれた毛髪に全体に対してオゾンが噴触して毛髪の酸化を確実に行うことが可能となる。
【００２０】
また、前記オゾン噴触装置より吹き出す口を平面形状として面積を大きくしたので、フード内にオゾンを均一状態に維持することが可能となり、従って、毛髪の全面に、かつ、均一状態でオゾンを噴触させることができる。
【００２１】
さらに、前記フードに被施術者が頭部を挿入した状態においてフードの開口部を密閉状態とし、この密閉状態において前記オゾン噴触装置よりのオゾンを吹き出してオゾンが外部に噴出しないようにしたので、オゾンによる被施術者、施術者に対して悪影響を与えることを防止できる。
【００２２】
また、フードの内周面に沿って往復回動する薬剤パイプを設け、該薬剤パイプに対してパーマネント、カラー、トリートメントの薬剤を霧化する薬剤霧化装置よりのミスト状の薬剤を送ることで、フード内の毛髪に対して均一に前記薬剤を吹き付けることが可能となる。
【００２３】
さらに、前記薬剤の毛髪への吹き付け時において、毛髪を巻き付けたロッド内を負圧状態とすることで、ロッドに巻かれた毛髪の全面に薬剤を吹き付けることができる。
【００２４】
また、フード内に被施術者の頭部を挿入した状態においてフードの内周面に沿って往復回動する薬剤パイプを設け、該薬剤パイプに対してパーマネント、カラー、トリートメントの薬剤を霧化する薬剤霧化装置よりのミスト状の薬剤を送ることで、フード内の毛髪に対して均一に前記薬剤を吹き付けることができ、かつ、薬剤を吹き付けた状態でフード内に加温空気を送風する吹出口の近傍にオゾン噴触装置よりのオゾンを吹き出し、かつ、この状態においてロッド内を負圧とすることで、該ロッドに巻かれた毛髪全体に対してオゾンが噴触して毛髪の酸化を確実に行うという一連の処理を行うことが可能であることから、作業の簡素化が図れると共に施術者の熟練を必要としない。
【００２５】
さらに、オゾン噴触装置よりのオゾンを吹き出し、かつ、この状態においてロッド内を負圧とすることで、該ロッドに巻かれた毛髪に全体に対してオゾンが噴触して毛髪の酸化を確実に行うことができる等の効果を有するものである。
【図面の簡単な説明】
【００２６】
【図１】本発明のパーマネントウェーブ処理促進装置の基本構造を示す側面図である。
【図２】図１の縦断面図である。
【図３】要部の背面図である。
【図４】図１の一部を断面した側面図である。
【図５】フードを開放した状態の斜視図である。
【図６】チューブの引出しが可能な状態を示した引出し部材の断面図である。
【図７】図６のチューブの引出しが不能な状態を示した断面図である。
【図８】オゾン噴触装置を組み込んだ状態の背面図である。
【図９】図８の正面側から見た斜視図である。
【図１０】（ａ）は薬剤霧化装置を組み込んだ背面図、（ｂ）は薬剤霧化装置のみを分離した斜視図、（ｃ）は薬剤霧化装置より延長された薬剤供給パイプと薬剤噴霧パイプとの接続部を示した断面図である。
【図１１】図１０の薬剤噴霧パイプをフード内において回動するための構造を示す断面図である。
【図１２】制御回路の回路ブロック図である。
【図１３】フード内にオゾンを吹き出してパーマネントウェーブを処理する方法を示すフローチャートである。
【図１４】図１３のフローチャートの続きを示すフローチャートである。
【図１５】フード内にミスト状の薬剤を噴霧してパーマネントウェーブを処理する方法を示すフローチャートである。
【図１６】フード内にミスト状の薬剤を噴霧した後にオゾンを吹き出してパーマネントウェーブ処理をする方法を示すフローチャートである。
【発明を実施するための形態】
【００２７】
以下、本発明の要旨である被施術者の毛髪をカールした状態においてオゾンを吹き付けるオゾン噴触装置、パーマ剤やトリートメント剤である薬剤を塗布する薬剤霧化装置を取付けるためのパーマネントウェーブ処理促進装置の基本構造について説明する。なお、この基本構造は本出願人が出願し特許となった特許第４５６７６４４号に該当するものである。
【００２８】
図１〜図７は前記特許第４５６７６４４号の基本構造の概略を示し、フード内にブロワによって温風を供給し被施術者の毛髪に多数の通気孔が形成されたロッドを巻き付けると共に該ロッドにチューブを接続してブロワによって吸引し、かつ、フード内の温度が予め設定した温度より高くなった場合には外気導入装置によって外気を導入して所定の温度となるようにした。
【００２９】
以下、特許文献の基本構造を図面と共に説明する。
パーマネントウェーブ処理促進装置は大きく分けて、ヒーターＨによって加温した温風を排出すると共に毛髪が巻かれたロッドＲから吸引した前記温風を吸引して再びヒーターＨによって加温する循環式ブロワ１と、該ブロワ１によって吸引した温風と水分やパーマネントウェーブ用の薬剤や異物を分離する汽水分離装置２と、外気を導入して前記ブロワ１よりの温風に混合して冷却する外気導入装置２４とが収容されたハウジング３とからなる本体Ａと、該ハウジング３の上部に取り外し可能で、かつ、２つに分離され開閉自在なフードＦとから構成されている。なお、図１においてＣは被施術者がパーマネントウェーブ処理を行う時に着座する椅子である。また、本体Ａにはキャスター３１が取付けられ移動自在となっている。
【００３０】
次に、本体Ａの詳細について説明するに、モータとファンとから構成されたブロワ１は、前記ハウジング３内の中央部に固定されており、ロッドＲ内を負圧状態とすることでロッドＲに巻かれている毛髪を介してフードＦ内の温風を吸引して下部に配置されている汽水分離装置２に供給し、該汽水分離装置２によって薬剤等の液体や異物が除去された空気を吸引し、吸引した空気を上方に取付けられているヒーターＨに向かって排出し、該ヒーターＨによって所定の温度に加熱された空気をハウジング３に形成された吹出口３２からフードＦ内に戻す動作をするものである。
【００３１】
また、前記汽水分離装置２からヒーターＨを介して前記吹出口３２に温風を吹き出すための管路における吹出口３２に近い部分に吸引口２４ａに設けられ、かつ、該吸引口２４ａの近傍にファン２４ｂが取付けられた外気導入装置２４が一体的に取付けられている。また、外気導入装置２４におけるフードＦ内に外気を供給する吹出口は前記吹出口３２と同一となっている。
【００３２】
そして、外気導入装置２４は前記汽水分離装置２からの温風と一緒に（この場合における外気導入装置２４のファン２４ｂはフードＦ内に取付けられている温度センサ（図示せず）よりの出力で駆動する）、あるいは、ブロワ１から供給される温風とは関係なく外気のみをフードＦ内に供給する動作のみを行うことも可能である。なお、前記外気導入装置２４によって外気を取り入れるための外気取り入れ口３３が前記ハウジング３の側面に形成されている。
【００３３】
汽水分離装置２は前記ブロワ１の真下に位置し、吸引した空気に渦流を発生させ下方に排出する渦流発生器２１と、該渦流発生器２１の下側に着脱自在に取付けられブロワ１からの汽水に含まれている薬剤や異物を貯留するカップ２２と、該カップ２２内に抜き差し自在に収容され渦流内に含まれている薬剤や異物をカップ２２内に送り出すためのスリット２３ａを有する漏斗状の分離器２３とから構成されている。
【００３４】
前記汽水分離装置２におけるカップ２２はハウジング３の前方に開閉自在に取付けられた蓋３６を開放して外に取り出すことで、カップ２２内に滞留している流体を排出することができる。なお、図３において、２２ａは前記渦流発生器２１に前記分離器２３を入れた状態でロックして固定するためのハンドルであり、また、２２ｂはカップ２２に取付けられた把手である。
【００３５】
前記ハウジング３における上面のフードＦを取付ける斜面には前記吹出口３２が取付けられ、この吹出口３２の左右にはロッドＲ内を負圧状態とするチューブ４が引き出される引出し部材５が取付けられている。チューブ４の先端にはロッドＲと脱着可能で、かつ、ロッドＲに対して回動自在な取付具４１が取付けられている。
【００３６】
また、ロッドＲには外周面に多数の空気流通孔Ｒ１が形成されているので、チューブ４を接続具４１を介してロッドＲに接続し、チューブ４内を負圧状態とするとロッドＲ内も負圧状態となり、従って、ロッドＲに巻かれている毛髪の薬剤等の流体はチューブ４内に吸引され、かつ、フードＦ内を加温状態とすることで毛髪も加温され毛髪の処理時間を早めることが可能となる。
【００３７】
前記チューブ４の引出し部材５は、チューブ４の径より大きな長孔５１ａが形成された固定台５１と、チューブ４より僅かに大きな丸孔５２ａが形成され、かつ、固定台５１に対してスライド可能な可動台５２とより構成され、チューブ４を引出したり収納したりする場合には図６に示すように、可動台５２の丸孔５２ａが固定台５１の長孔５１ａの中心に位置するようにスライドすることで容易に行え、また、チューブ４を固定状態とする場合には図７に示すように、可動台５２の丸孔５２ａが固定台５１の長孔５１ａの中心より外れた位置となるようにスライドすることでチューブ４は摩擦抵抗によって固定状態となる。
【００３８】
なお、引出し部材５の構造としては前記した実施例に限定されるものではなく、チューブ４の外周に対して密着したり、外周に対して隙間を作ることが可能な構造のものであれば全て含まれるものである。また、前記した固定台５１はチューブ４が比較的密の状態で嵌挿されている基台５３に固定されている。
【００３９】
そして、この基台５３には後述する吸引パイプ６の上端が気密の状態で嵌合されるように構成されている。また、ロッドＲを装着しないチューブ４の接続具４１には図示しないキャップを嵌合して吸引時にロッドＲの吸引力が弱まらないようにする必要がある。
【００４０】
前記引出し部材５から垂れ下がっているチューブ４が収納される吸引パイプ６は、合成樹脂等の材料でパイプ状に形成されており、一端が前記した引出し部材の基台５３に気密の状態で嵌合され、他端が前記した汽水分離装置２の渦流発生器２１の相対向する側面に気密の状態で嵌合されている。そして、吸引パイプ６はハウジング３の側面に沿って配置される。従って、ブロワ１を駆動すると渦流発生器２１によって吸引パイプ６内は負圧状態となり、この負圧状態によりチューブ４内も負圧状態となり、ロッドＲ内は負圧となる。
【００４１】
なお、気密状態で引出し部材５と渦流発生気２１に嵌合されている吸引パイプ６を外すことで、吸引パイプ６はハウジング３から分離できるので、チューブ４を吸引パイプより抜き出すことが可能となり、チューブ４の洗浄を容易に行うことができる。
【００４２】
フードＦは略円弧状に形成された第１フード７と第２フード８とから構成され、該第１、第２フードの頂角部において回動、かつ、締め付け可能であると共に第２フード８のみをロック可能とするフード取付部材９によってハウジング３の受け凹部３４に嵌め込んで取付けられている。なお、第１、第２フード７，８の形状は円弧状に限定されるものではなく、四角、六角形状等のような頭部を覆う形状であればどのような形状であってもよい。
【００４３】
そして、ハウジング３の受け凹部３４に取付けた状態において、第１フード７がハウジング３の上部開口縁部に密着状態で載置され、また、第２フード８の開口部には被施術者の額から襟部の頭部を覆う気密性の柔軟な覆い布８ａが取り外し可能に取付けられている。前記第１フード７に対して第２フード８を重ねる方向に回動した時に、第２フード８が容易に開く方向に移動しないように、第２フード８の第１フード７の内面に形成されている突条（図示せず）と係合される止めバネ８ｂが取付けられている。なお、前記覆い布８に変えてエアーカーテンとすることも可能である。
【００４４】
以上の説明は、本発明の要旨である毛髪をカールした状態においてオゾンを吹き付けるためのオゾン噴触装置、パーマ剤やトリートメント剤である薬剤を塗布するための薬剤霧化装置を取付けるためのパーマネントウェーブ処理促進装置である。以下、パーマネントウェーブ処理促進装置に取付けるオゾン噴触装置、薬剤霧化装置の詳細を図８〜図１１と共に説明する。
【００４５】
先ず、オゾン噴触装置の具体例を図８，９と共に説明する。
オゾン噴触装置１００としては放電法や紫外線法等の公知の装置であり、オゾン発生器１０１はハウジング３の上部背面側に固定され、また、オゾン噴触装置１００内にはオゾン発生器１０１で発生したオゾンを後述するオゾン配管１０３に向かって放出するためのポンプ（図示せず）が内蔵されている。
【００４６】
そして、オゾン発生器１０１に形成されたオゾン出口１０２にはオゾン配管１０３の一端が接続され、該オゾン配管１０３の他端には広角の噴出口であるオゾン噴触部１０４が取付けられている。なお、オゾン噴触部１０４は前記した吹出口３２の上方に配置されているので、オゾン噴触部１０４より放出されるオゾンは吹出口３２よりの送風によってフードＦ内に均一に放出される。
【００４７】
なお、図８，１０において１１０は操作盤にして、時間表示、温度表示、ロッドの本数表示、毛髪の量、毛髪のダメージ、オゾン噴触装置の動作表示、薬剤の噴霧表示等の表示を行う操作表示部１１１が形成されている。
【００４８】
前記操作表示部１１１の外周には前記各表示を設定するためのスイッチ１１２が配置されている。すなわち、図１２に示すオゾン濃度レベルを設定するためのスイッチ１３ｂ、ロッドの数を設定するためのスイッチ１３ｃ、毛髪の量を設定するスイッチ１３ｄ、毛髪のダメージを設定するためのスイッチ１３ｅが配置されている。
【００４９】
次に、薬剤霧化装置の具体例を図１０，１１と共に説明する。
図１０において１２０は後に詳述する薬剤をミスト状に霧化する薬剤霧化装置であって、超音波等を利用して前記薬剤を霧化する手段が内蔵されており、霧化された薬剤は薬剤噴霧用ファン１２１によりの風圧によって薬剤霧化装置１２０より導出された薬剤供給パイプ１２２に送出される。
【００５０】
前記薬剤供給パイプ１２２の一端は前記したフード取付部材９の内側に固定されると共に先端は上方に向かって屈曲され、該屈曲された上面にＬ字状の薬剤供給口１２３が密閉状態で固定され、該薬剤供給口１２３には前記したフードＦの内周面に沿って回動可能な形状に形成された薬剤噴霧パイプ１２４の一端がＯリング１２４ａを介して回転自在に嵌め込まれている。
【００５１】
前記薬剤噴霧パイプ１２４の他端は他方のフード取付部材９の内側に回転自在に軸支されると共にギア１３１が取付けられている。また、フード取付部材９の内側にモータ１３２が取付けられており、該モータ１３２の回転軸に取付けられたギア１３３が前記ギア１３１と噛合されている（図１１参照）。
【００５２】
従って、モータ１３２を回転させることでギア１３３を介してギア１３１が回転することで、薬剤噴霧パイプ１２４がフードＦの内周面に沿って往復回転する。従って、薬剤霧化装置１２０から噴出される霧化された薬剤は薬剤供給パイプ１２２、薬剤供給口１２３を介して薬剤噴霧パイプ１２４に形成されている多数薬剤噴霧口１２４ｂより被施術者の毛髪全体に噴霧される。
【００５３】
なお、前記した薬剤霧化装置１２０によって噴霧される薬剤としては、後述する図１５に示すフローチャートのオゾンを噴触させることなく薬剤のみで処理する場合には、一般的に市販さている薬剤であって霧化できる薬剤を収納し、また、オゾンのみを噴触してパーマネントウェーブ等の処理を行う場合、あるいは、薬剤を毛髪に噴霧した後にオゾンを噴触して酸化させてパーマネントウェーブ処理を行う場合には、アスコルビン酸、アスコルビン酸誘導体、アスコルビン酸の塩からなる群から選ばれる１または２以上の化合物を含ませた酸性の中間処理剤を使用する。
【００５４】
次に、図１２の制御回路１３について説明する。
１３ａは回路全体の動作を制御するためのＣＰＵ、１３ｂはオゾン発生器１０１の例えば電流等を制御してオゾン濃度レベルを制御するためのスイッチ、１３ｃは被施術者の毛髪を巻き付けるロッドの数を設定するためのスイッチ、１３ｄは被施術者の毛髪の量を設定するためのスイッチ、１３ｅは被施術者の毛髪のダメージ状態を設定するためのスイッチ、１３ｆは前記スイッチ１３ｃ〜１３ｅを操作することで、施術時間を何分にするかおよび施術温度を何度にするか等のデータが記憶されたＲＯＭ、１３ｇは施術者が希望に応じて各種の設定を行ったことを記憶するＲＡＭである。
【００５５】
また、１３ｈはヒーターの温度制御を行う、例えば、ヒーターへの通電をオン・オフ制御するためのリレー等のヒーター制御部、１３ｉは前記ＲＯＭ１３ｆによって設定された時間をスタートスイッチ１３ｊをオンしてから減算するタイマ、１３ｋは温風手段のオン・オフ制御や送風量の制御を行うためのブロア制御部、１３ｌはフードＦの所望個所に設置され、フードＦ内の温度を検出するフード内温度検出用の温度センサである。
【００５６】
さらに、１３ｍは温風を供給すると共に吸引を行うためのモータに過負荷が加わったことを検出し、および本体に組み込まれた傾斜センサが動作して本体が転倒するような状態となった時やヒーターが異常温度となった時に電源をオフにするための安全スイッチ、１３ｒはクーリング動作時にオンとなる前記した外気導入装置２４のファン２４ｂを制御するためのファン制御部である。
【００５７】
１３ｐは前記したオゾン発生器１０１の動作開始やオゾン濃度レベルを制御するためのオゾン発生制御部、１３ｑは前記オゾン発生器１０１内に内蔵されたオゾン発生器よりのオゾンを送り出すためのポンプ、１３ｓは薬剤霧化装置１２０のファン１２１を駆動してミスト状の薬剤の噴霧を制御するための薬剤霧化装置制御部、１３ｔは薬剤噴霧パイプ１２４を回転するためのモータ１３２の動作を制御する薬剤噴霧パイプ駆動用モータ制御部である。
【００５８】
次に、オゾンのみをフードＦ内に噴触してパーマネントウェーブの処理を行う方法を図１３，１４のフローチャートと共に説明する。
なお、本発明におけるパーマネントウェーブ処理促進装置によって毛髪処理を実施する以前において、以下に説明する操作を行う。すなわち、毛髪にロッドＲを巻き付け、該巻き付けた毛髪に対して還元剤を含むパーマ第１剤を塗布し、所定の時間放置して毛髪を膨潤軟化させる。
【００５９】
毛髪が膨潤軟化した状態において毛髪に付着しているパーマ第１剤を洗い流し、洗い流した毛髪をタオルで拭く。その後、本発明のパーマネントウェーブ処理促進装置のフードＦを開放した状態において処理装置の前に着座させ、アスコルビン酸、アスコルビン酸誘導体、アスコルビン酸の塩からなる群から選ばれる１または２以上の化合物を含ませた酸性の中間処理剤を塗布する。
【００６０】
前記中間処理剤を塗布した後に、毛髪が巻き付けられたロッドＲにチューブ４を接続し、ロッドＲに接続しないチューブ４には図示しない封止部材を取付けてチューブ４からの吸引が行われないようにする。その後、フードＦを被施術者の頭部に被せ、かつ、フードＦ内を密閉状態とするために覆い布８ａで被い、あるいはエアーカーテンによって吹出口３２よりの温風が漏れないようにする。
【００６１】
次に、前記した前処理の後にオゾンを吹き付けて処理を行う処理方法を図１３，１４のフローチャートについて説明するに、外部交流電源を本発明のパーマネントウェーブ処理促進装置に電源を供給するための電源スイッチをオン状態とする。この状態においてプログラム設定Ｓ１の操作である施術者が操作盤１１０におけるスイッチ１１２からロッドの数はスイッチ１３ｃを操作表示部１１１を見ながら操作し（ステップＳ１１）、以下、同様に毛髪の量はスイッチ１３ｄを操作し（ステップＳ１２）、毛髪のダメージはスイッチ１３ｅを操作して入力する（ステップＳ１３）。
【００６２】
以上の操作が行われると、該操作された条件に対応するタイマ、温度、ブロワ出力、オゾン濃度レベルがＲＯＭ１３ｆより読み出されモードが決定される（ステップＳ１４）。この状態においてＣＰＵ１３ａはクリープのフローチャートＳ２に移行し、クリープスタートスイッチがオンされたか否かを監視し（ステップＳ２１）、該スイッチが操作されたと判断すると前記プログラム設定によって設定されたタイマが始動する（ステップＳ２２）。
【００６３】
前記タイマの開始と同時に、ブロワ１と外気導入用のファン２４ｂを駆動して吹出口３２より吹き出す（ステップＳ２３）。この状態において、フードＦ内の温度が一定となるようにヒーターＨの制御を開始する（ステップＳ２４）この状態において前記ＲＯＭ１３ｆで設定された温度の空気となるようにヒーターＨの制御が開始され（ステップＳ２４）、かつ、フードＦ内の温度を温度センサ１３ｌで監視し、前記ＲＯＭ１３ｆで設定された温度に制御される（ステップＳ２５）。
【００６４】
このような制御を行いながらＣＰＵ１３ａはＲＯＭ１３ｆで設定されたタイマ時間に達したか否かを判断する。この判断において、タイマ時間に達したと判断すると、図１４のフローチャートに移行する。
【００６５】
なお、操作盤１１０におけるガラス化用のスタートスイッチを操作する前にロッドＲにチューブ４が接続されていない場合、ロッドＲにチューブ４を接続した後にスタートスイッチを操作することとなる。この状態においてＣＰＵ１３ａはスタートスイッチを操作したか否かを監視し（ステップＳ３１）、前記ロッドＲにチューブ４を接続したと判断したことを施術者が確認した後にスタートスイッチが操作されるとＲＯＭ１３ｆで決定されたタイマが始動される（ステップＳ３２）と共にブロアとファンが駆動して毛髪が巻かれているロッドＲ内を吸引する動作と、吹出口３２よりの送風の吹出が開始される（ステップＳ３３）。
【００６６】
そして、前記ステップＳ３３の動作開始と同時にオゾン発生器１０１よりのオゾンはポンプによってオゾン出口１０２、オゾン配管１０３を介してオゾン噴触部１０４から放出され温風の吹出口３２よりの送風によってフードＦ内に均一に放出される（ステップＳ３４）。
【００６７】
このオゾンの放出が行われると前記吹出口３２より放出される温風の温度を一定とするためにヒーターＨの制御が開始され（ステップＳ３５）、かつ、フードＦ内の温度を監視して（ステップＳ３６）、フードＦ内の温度を一定に保つために前記ヒーターＨの温度制御を行う。次いで、ＲＯＭ１３ｆで決定されたタイマ時間に達したか否かを監視する（ステップＳ３７）。
【００６８】
なお、フードＦ内の温度が予め設定された温度より高くなった場合には、外気導入装置２４のファン２４ｂを駆動してブロワ１から供給される温風とは関係なく外気のみをフードＦ内に供給したり、直接外気をフードＦ内に供給してフードＦ内の温度を設定温度まで下降させる。
【００６９】
前記したフローチャートにおいてロッドＲ内は負圧状態となっているので、フードＦ内に供給されたオゾンは毛髪を介して吸引され、従って、毛髪に塗布された中間処理剤にオゾンが噴触されることによって酸化されて毛髪のジスルフィド結合を再結合することとなる。
【００７０】
前記ステップＳ３７によるタイマ時間に達したと判断すると、クーリングＳ４１に移行し、操作盤１１０におけるクーリングのスタートスイッチを操作したか否かを監視し（ステップＳ４１）、クーリングスタートスイッチの操作が行われたと判断するとＲＯＭ１３ｆで決定されたタイマが始動される（ステップＳ４２）と共にブロアとファンが駆動（ヒーターＨの通電は遮断）して冷風を毛髪が巻かれているロッドＲ内に吸引することでクーリングが開始される（ステップＳ４３）。
【００７１】
そして、タイマ時間に達したか否かを常時監視し（ステップＳ４４）、タイマ時間に達したと判断するとパーマネントウェーブ処理促進装置の作業は終了するので、フードＦを開放し、毛髪からロッドＲを外すことで全ての作業は終了する。
【００７２】
次に、薬剤をフードＦ内に噴霧してパーマネントウェーブの処理を行う方法を図１５のフローチャートと共に説明する。なお、本発明における薬剤を噴霧してパーマネント等の処理を行うパーマネントウェーブ処理促進装置にあっても、前記した図１２，１３で説明したと同様に前工程である毛髪を膨潤軟化させる処理と、パーマ第１剤を洗い流す工程を終了させる。
【００７３】
なお、薬剤をフードＦ内に噴霧してパーマネントウェーブの処理を行う場合の薬剤としては、一般的に市販されているパーマ剤やトリートメント剤のうち、施術の目的に合う薬剤で、かつ、霧化が可能な薬剤、例えば、パーマ第２剤（酸化剤）やＣＭＣ水溶液等を選択的に使用しても良い。
【００７４】
次に、前記した前処理の後に薬剤をフードＦ内に噴霧して処理を行う処理方法を図１５のフローチャートと共に説明するに、電源スイッチをオン状態とする。この状態においてプログラム設定Ｓ５の操作である施術者が操作盤１１０におけるスイッチ１１２から使用するロッド数はスイッチ１３ｃを操作表示部１１１を見ながら操作し（ステップＳ５１）、以下、同様に毛髪のダメージはスイッチ１３ｅを操作し（ステップＳ５２）、また、毛髪の量はスイッチ１３ｄを操作して入力する（ステップＳ５３）。
【００７５】
以上の操作が行われると、該操作された条件に対応するタイマ、温度、ブロワ出力、薬剤噴霧量がＲＯＭ１３ｆより読み出されモードが決定される（ステップＳ５４）。この状態においてＣＰＵ１３ａは薬液噴霧のフローチャートＳ６に移行し、薬剤噴霧用スタートスイッチ１３ｊがオンしたか否かを監視し（ステップＳ６１）、該スイッチがオンされたと判断すると前記プログラム設定モードによって設定されたタイマが始動する（ステップＳ６２）。
【００７６】
前記タイマの始動と同時に薬剤霧化装置１２０の制御と薬剤噴霧パイプ１２４を駆動するモータ１３２を制御し、薬剤噴霧パイプ１２４の往復動によって毛髪にミスト状の薬剤を吹き付ける（ステップＳ６３）。なお、毛髪の量、ダメージ、ロッド数によって噴霧量が設定されているので、より薬剤の付着量も最適な状態となる。
【００７７】
次に、前記タイマの始動からの時間が設定された時間に達したか否かの監視が行われる（ステップＳ６４）。そして、タイマ時間に達したと判断すると前記したクリープモードに移行する。なお、クリープモードについては図１３のフローチャートにおけるステップＳ２の動作と同じなので説明は省略する。
【００７８】
クリープモードのステップＳ２におけるタイマ時間に達したか否かの監視において時間に達したと判断するとガラス化のフローチャートＳ７に移行することとなる。
【００７９】
そして、操作盤１１０におけるガラス化用のスタートスイッチを操作する前にロッドＲにチューブ４が接続されていない場合、ロッドＲにチューブ４を接続した後にスタートスイッチを操作することとなる。一方、ＣＰＵ１３ａはスタートスイッチを操作したか否かを監視し（ステップＳ７１）、前記ロッドＲにチューブ４を接続したと判断したことを施術者が確認した後にスタートスイッチが操作されるとＲＯＭ１３ｆで決定されたタイマが始動される（ステップＳ７２）と共にブロアとファンが駆動して毛髪が巻かれているロッドＲ内を吸引する動作と、吹出口３２よりの温風の吹出が開始されガラス化が進行する（ステップＳ７３）。
【００８０】
このガラス化において、前記吹出口３２より放出される温風の温度を一定とするためにヒーターＨの制御が開始され（ステップＳ７４）、かつ、フードＦ内の温度を監視して（ステップＳ７５）、フードＦ内の温度を一定に保つために前記ヒーターＨの温度制御を行う。
【００８１】
次に、前記タイマの始動からの時間が設定された時間に達したか否かの監視が行われる（ステップＳ７６）。そして、タイマ時間に達したと判断すると前記したクーリングステップのモードに移行する。なお、クーリングモードについては図１４のフローチャートにおけるクーリングステップＳ４の動作と同じなので説明は省略する。
【００８２】
そして、クーリングステップＳ４におけるタイマ時間に達したか否かの監視（ステップＳ４４）において、タイマ時間に達したと判断するとパーマネントウェーブ処理促進装置の作業は終了するので、フードＦを開放し、毛髪からロッドＲを外すことで全ての作業は終了する。
【００８３】
なお、前記した薬剤噴霧を行うフローチャートにあっては、薬剤霧化装置１２０を駆動すると共に薬剤噴霧パイプ１２４を回動させてミスト状の薬剤を毛髪に吹き付け、その後にクリープ処理を行うものであり、ロッドＲにチューブ４が接続されていない場合、毛髪に巻き付けられたロッドＲから吸引されることはない。しかし、クリープ処理の後のガラス化処理を行う直前に中間処理剤を毛髪に吹き付ける処理を行うことがある。
【００８４】
このように薬剤噴霧の直後にガラス化処理を行う場合には、ガラス化時にロッドＲにチューブ４が接続されていることから、ロッドＦ内を負圧状態として中間処理剤を吹き付けることで、ミスト状の中間処理剤はロッドＲ内の負圧によってロッドＲに巻かれている毛髪全体に中間処理剤が均一にいきわたる。また、ロッドＲ内を負圧状態としているためフードＦ内の温風を吸引することとなり、従って、毛髪に温風が供給されて毛髪の仕上がりを良好な状態とすることができる。
【００８５】
次に、薬剤をフードＦ内に噴霧し、次いでオゾンを噴触してガラス化を行うパーマネントウェーブの処理を行う方法を図１６のフローチャートと共に説明する。なお、この実施例にあっても薬剤の噴霧とオゾンの噴触を行う前に、前記した実施例で説明したと同様に毛髪をロッドＲに巻き付けた状態において第１剤を塗布して毛髪を膨潤化させておく必要がある。
【００８６】
先ず、電源スイッチをオン状態とする。次いで、プログラム設定Ｓ８の設定を行う。すなわち、使用したロッドの本数の設定（ステップＳ８１）、毛髪のダメージレベルの設定（ステップＳ８２）、毛髪の量の設定（ステップＳ８３）をスイッチ１３ｃ，１３ｅ，１３ｄを操作して決定する。これらの設定が終了するとタイマ、温度、ブロワ出力、オゾン濃度レベルおよび薬液噴霧量がＲＯＭ１３ｆによって決定され（ステップＳ８４）。
【００８７】
次いで、前記した図１５に記載したフローチャートの薬剤噴霧ステップＳ６に移行して薬剤噴霧の処理を行う。この薬剤噴霧に使用する薬剤としてはアスコルビン酸、アスコルビン酸誘導体、アスコルビン酸の塩からなる群から選ばれる１または２以上の化合物を含ませた酸性の中間処理剤を噴霧する。
【００８８】
前記中間処理剤の噴霧時に、ロッドＲ内を負圧状態とすることで、毛髪全体に中間処理剤が均一にいきわたることで、次の工程であるクリープ処理を良好に行うことができる。
【００８９】
前記薬剤噴霧処理が終了した後、前記した図１３に記載したクリープステップＳ２に移行してクリープ処理を行い、該クリープ処理が終了した後は前記した図１４に記載したガラス化ステップＳ３に移行して毛髪のガラス化処理を行い、さらに、ガラス化終了した後は、前記した図１４に記載したクーリングステップＳ４に移行して毛髪のクーリング処理を行い、本発明のパーマネントウェーブ処理促進装置による処理は終了するので、フードＦを開放し、毛髪からロッドＲを外すことで全ての作業は終了する。
【符号の説明】
【００９０】
１          ブロワ
３          ハウジング
３２        吹出口
４          チューブ
８ａ        密閉手段
１００      オゾン噴触装置
１０４      オゾン噴触部
１２０      薬剤霧化装置
１２４      薬剤噴霧パイプ
Ｆ          フード
Ｒ          ロッド
【図１】
0005928947.tif 000002
【図２】
0005928947.tif 000003
【図３】
0005928947.tif 000004
【図４】
0005928947.tif 000005
【図５】
0005928947.tif 000006
【図６】
0005928947.tif 000007
【図７】
0005928947.tif 000008
【図８】
0005928947.tif 000009
【図９】
0005928947.tif 000010
【図１０】
0005928947.tif 000011
【図１１】
0005928947.tif 000012
【図１２】
0005928947.tif 000013
【図１３】
0005928947.tif 000014
【図１４】
0005928947.tif 000015
【図１５】
0005928947.tif 000016
【図１６】
0005928947.tif 000017